(57)【要約】【課題】施工作業を容易に行え、作業効率を向上させることができるようになる間仕切り及びその施工方法を提供すること。【解決手段】間仕切りは、立設された支柱１２に間仕切りパネル１０を止着することにより形成されるものであり、支柱１２と間仕切りパネル１０のうち、一方に軸部３０Ａが係止部となっているビス３０を設けるとともに、他方に被係止部としての窪み部３５を設け、軸部３０Ａを窪み部３５に挿入係止することにより、支柱１２に間仕切りパネル１０が仮止めされることになり、この仮止めを行った後に、支柱１２に間仕切りパネル１０を止着具であるビス２８により止着する。【選択図】図８
2018016961.tif 000002
【特許請求の範囲】
【請求項１】
立設された支柱と、この支柱に止着される間仕切りパネルとを含んで構成される間仕切りにおいて、
前記支柱と前記間仕切りパネルのうち、一方に係止部が設けられているとともに、他方に被係止部が設けられ、この被係止部が前記係止部に係止されることにより、前記支柱に前記間仕切りパネルが仮止め可能となっていることを特徴とする間仕切り。
【請求項２】
請求項１に記載の間仕切りにおいて、前記係止部は突起であり、前記被係止部は、前記突起が挿入可能となっている窪み部であることを特徴とする間仕切り。
【請求項３】
請求項２に記載の間仕切りにおいて、前記突起は前記支柱に設けられ、前記窪み部は、開口側が下向きとなって前記間仕切りパネルに形成されていることを特徴とする間仕切り。
【請求項４】
請求項３に記載の間仕切りにおいて、前記間仕切りパネルは、金属板で形成された表面部材を有し、この表面部材に前記窪み部が形成されていることを特徴とする間仕切り。
【請求項５】
請求項４に記載の間仕切りにおいて、前記間仕切りパネルは、前記表面部材と、この表面部材の本体部の裏面に固定され、前記間仕切りパネルの厚さ方向の寸法を有している芯部材とを含んで構成され、前記表面部材の幅方向の端部には、前記本体部から前記間仕切りパネルの前記厚さ方向の段差をもって前記芯部材とは反対側へ延出し、前記本体部と平行又は略平行になっているフランジ部が設けられ、このフランジ部に前記窪み部が形成されていることを特徴とする間仕切り。
【請求項６】
請求項５に記載の間仕切りにおいて、前記窪み部の下側は、この窪み部と連通していて、前記窪み部の幅寸法よりも大きい幅寸法を有する開口部となっており、この開口部から前記突起が前記窪み部に挿入可能となっていることを特徴とする間仕切り。
【請求項７】
請求項３〜６のいずれかに記載の間仕切りにおいて、前記間仕切りパネルは前記支柱の両側に２枚あり、これらの間仕切りパネルにおける前記支柱側の端部に前記窪み部が設けられ、前記支柱の前記突起は、前記２枚の間仕切りパネルの前記窪み部に共通して挿入されるものとなっていることを特徴とする間仕切り。
【請求項８】
請求項３〜７のいずれかに記載の間仕切りにおいて、前記突起は、前記支柱に先端側の一部が侵入し、残りの部分が前記支柱から突出している軸部と、この軸部の後端に設けられた頭部とを有する止着具であり、前記窪み部の幅寸法は、前記軸部の直径寸法と同じ又はこの直径寸法よりも大きく、かつ前記頭部の直径寸法よりも小さくなっていることを特徴とする間仕切り。
【請求項９】
立設された支柱に間仕切りパネルを止着することにより間仕切りを施工する間仕切りの施工方法において、
前記支柱と前記間仕切りパネルのうち、一方に設けられた係止部に、他方に設けられた被係止部を係止することにより、前記支柱に前記間仕切りパネルを仮止めするための第１作業工程と、
この第１作業工程の後に行われ、前記支柱に前記間仕切りパネルを止着具により止着するための第２作業工程と、
を含んでいることを特徴とする間仕切りの施工方法。
【請求項１０】
請求項９に記載の間仕切りの施工方法において、前記係止部は、前記支柱に先端側が結合された軸部の後端に頭部が設けられている第１止着具であり、前記被係止部は、前記間仕切りパネルに開口側が下向きとなって形成された窪み部であり、前記第２作業工程における前記止着具は、第２止着具であり、
前記第１作業工程を行うときにおける前記第１止着具は、前記軸部の前記先端側の一部が前記支柱に侵入していて、前記軸部の残り部分が前記支柱から突出しているものとなっており、
前記軸部の前記残り部分を前記窪み部に挿入させて行う前記第１作業工程を実施し、かつ前記第２作業工程を実施した後に、前記第１止着具の前記頭部が前記間仕切りパネルに当たるまで前記軸部を前記支柱に侵入させるための第３作業工程を実施することを特徴とする間仕切りの施工方法。
【発明の詳細な説明】
【技術分野】
【０００１】
本発明は、建物等の構造物の内部に２つに仕切られた空間を形成するための間仕切り及びその施工方法に係り、例えば、学校の内部を教室と廊下に仕切るために用いることができるものである。
【背景技術】
【０００２】
建物等の構造物の内部を２つの空間に仕切るためには、下記の特許文献１に示されているように、間仕切りが用いられる。一般的な間仕切りは、間隔をあけて複数本の支柱を立設し、これらの支柱に間仕切りパネルを止着することにより設置される。
【先行技術文献】
【特許文献】
【０００３】
【特許文献１】特開平１１−２３６７６０号公報
【発明の概要】
【発明が解決しようとする課題】
【０００４】
上述のように支柱に間仕切りパネルを止着することにより設置される間仕切りでは、作業者は、施工時において、支柱に間仕切りパネルを押し付け、この後に、支柱に間仕切りパネルを止着具で止着する作業を行わなければならず、このため、施工作業に手間と時間がかかり、この施工作業の容易化が望まれる。
【０００５】
本発明の目的は、施工作業を容易に行え、作業効率を向上させることができるようになる間仕切り及びその施工方法を提供するところにある。
【課題を解決するための手段】
【０００６】
本発明に係る間仕切りは、立設された支柱と、この支柱に止着される間仕切りパネルとを含んで構成される間仕切りにおいて、前記支柱と前記間仕切りパネルのうち、一方に係止部が設けられているとともに、他方に被係止部が設けられ、この被係止部が前記係止部に係止されることにより、前記支柱に前記間仕切りパネルが仮止め可能となっていることを特徴とするものである。
【０００７】
この間仕切りでは、支柱と間仕切りパネルのうち、一方に係止部が設けられているとともに、他方に被係止部が設けられ、この被係止部が係止部に係止されることにより、支柱に間仕切りパネルが仮止め可能となっているため、支柱に間仕切りパネルを止着具で止着するときに、上記仮止めにより、支柱に間仕切りパネルを押し付ける作業が不要になり、このため、間仕切りの施工作業を容易に行え、作業効率を向上させることができる。
【０００８】
本発明において、係止部と被係止部は、被係止部を係止部に係止することにより、支柱に間仕切りパネルを仮止めできるものであれば、任意の形態のものでよく、例えば、係止部は、止着具やピン等による突起でもよく、あるいは、プレス加工等で形成された膨出部でもよく、また、被係止部は、突起が挿入可能となっている窪み部でもよく、あるいは、突起に係止可能のフック状のものでもよい。
【０００９】
また、係止部を支柱に設け、被係止部を間仕切りパネルに設けてもよく、あるいは、係止部を間仕切りパネルに設け、被係止部を支柱に設けてもよい。
【００１０】
係止部を支柱に設けられた突起とし、被係止部を、間仕切りパネルに設けられ、突起を挿入可能となっている窪み部とする場合には、この窪み部を、開口側を下向きにして間仕切りパネルに形成することが好ましい。
【００１１】
これによると、間仕切りパネルに形成された窪み部に支柱の突起を挿入すると、間仕切りパネルの重量を突起を介して支柱に支持させることができるため、支柱に間仕切りパネルの重量を支持させながら支柱に間仕切りパネルを止着する作業を行える。
【００１２】
また、本発明において、間仕切りパネルは任意の形態で形成することができ、その一例は、間仕切りパネルを、金属板で形成された表面部材を有するものとすることである。
【００１３】
このように間仕切りパネルを、金属板で形成された表面部材を有するものとする場合には、この表面部材に、被係止部としての窪み部を形成してもよい。
【００１４】
これによると、窪み部を、プレス機等による打ち抜き加工で金属板に容易に形成することができる。
【００１５】
また、間仕切りパネルを、金属板で形成された表面部材を有するものとする場合には、間仕切りパネルを、前記表面部材と、この表面部材の本体部の裏面に固定され、間仕切りパネルの厚さ方向の寸法を有している芯部材とを含んで構成されたものとし、表面部材の幅方向の端部には、本体部から間仕切りパネルの厚さ方向の段差をもって芯部材とは反対側へ延出し、本体部と平行又は略平行になっているフランジ部を設け、このフランジ部に前記被係止部としての窪み部を形成するようにしてもよい。
【００１６】
また、このようにする場合には、窪み部の下側に、この窪み部と連通していて、窪み部の幅寸法よりも大きい幅寸法を有する開口部を設け、この開口部から突起を窪み部に挿入できるようにしてもよい。
【００１７】
これによると、支柱の突起を間仕切りパネルの表面部材に形成されている窪み部に挿入するための作業を、窪み部の下側に設けられている開口部に突起を一旦挿入した後に行うことができるため、窪み部への突起の挿入作業を容易に行える。
【００１８】
また、本発明において、間仕切りパネルが支柱の両側に２枚ある場合には、これらの間仕切りパネルにおける支柱側の端部に前記被係止部としての窪み部を設け、支柱に前記係止部として設けられている突起を、２枚の間仕切りパネルの窪み部に共通して挿入するようにしてもよい。
【００１９】
これによると、支柱に係止部として設けられている突起が、支柱の両側に２枚ある間仕切りパネルの窪み部に共通して挿入されるため、突起がこれらの間仕切りパネルについて兼用されることになり、それだけ支柱の形状や構造の簡単化を図ることができるようになる。
【００２０】
また、本発明において、支柱に前記係止部として設けられている突起を前述した止着具とする場合には、この止着具を、支柱に先端側の一部が侵入し、残りの部分が支柱から突出している軸部と、この軸部の後端に設けられた頭部とを有する止着具とし、間仕切りパネルに前記被係止部として設けられる窪み部の幅寸法を、止着具の軸部の直径寸法と同じ又はこの直径寸法よりも大きくて、止着具の頭部の直径寸法よりも小さくすることが好ましい。
【００２１】
これによると、窪み部の幅寸法は、止着具の軸部の直径寸法と同じ又はこの直径寸法よりも大きいため、支柱に間仕切りパネルを仮止めするために、止着具の軸部のうち、支柱から突出している部分を窪み部に挿入することができ、また、窪み部の幅寸法は、止着具の頭部の直径寸法よりも小さいため、窪み部が止着具から脱落することを防止することができ、したがって、支柱に間仕切りパネルを仮止めすることを一層確実に行える。また、止着具の頭部が間仕切りパネルに当たるまで止着具の軸部を支柱に侵入させる作業を行うと、仮止め用の止着具により、支柱に間仕切りパネルを止着することもできるようになる。
【００２２】
なお、以上のように軸部の後端に頭部が設けられている止着具は、タッピングビスを含むビスでもよく、釘でもよい。
【００２３】
本発明に係る間仕切りの施工方法は、立設された支柱に間仕切りパネルを止着することにより間仕切りを施工する間仕切りの施工方法において、前記支柱と前記間仕切りパネルのうち、一方に設けられた係止部に、他方に設けられた被係止部を係止することにより、前記支柱に前記間仕切りパネルを仮止めするための第１作業工程と、この第１作業工程の後に行われ、前記支柱に前記間仕切りパネルを止着具により止着するための第２作業工程と、を含んでいることを特徴とするものである。
【００２４】
この間仕切りの施工方法によると、支柱に間仕切りパネルを止着具により止着するための第２作業工程を行うときには、その前に実施されている第１作業工程において、支柱と間仕切りパネルのうち、一方に設けられた係止部に、他方に設けられた被係止部を係止することにより、支柱に間仕切りパネルが仮止めされているため、第２作業工程で支柱に間仕切りパネルを止着具で止着するときに、支柱に間仕切りパネルを押し付ける作業が不要になり、このため、間仕切りの施工作業の容易化、作業効率の向上を図ることができる。
【００２５】
なお、係止部は、止着具やピン等による突起でもよく、あるいは、プレス加工等で形成された膨出部でもよく、被係止部は、突起が挿入される箇所が窪み部となっている窪み部でもよく、あるいは、突起に係止可能のフック状のものでもよい。
【００２６】
また、係止部を支柱に設け、被係止部を間仕切りパネルに設けてもよく、あるいは、係止部を間仕切りパネルに設け、被係止部を支柱に設けてもよい。
【００２７】
また、上述の間仕切りの施工方法において、係止部を、支柱に先端側が結合された軸部の後端に頭部が設けられている第１止着具とし、前記被係止部を、間仕切りパネルに開口側が下向きとなって形成された窪み部とし、また、第２作業工程における前記止着具を第２止着具とし、前記第１作業工程を行うときにおける第１止着具を、前記軸部の先端側の一部が支柱に侵入していて、軸部の残り部分が前記支柱から突出しているものとし、軸部のこの残り部分を窪み部に挿入させて行う第１作業工程を実施し、かつ第２作業工程を実施した後に、第１止着具の頭部が間仕切りパネルに当たるまで軸部を前記支柱に侵入させるための第３作業工程を実施するようにしてもよい。
【００２８】
これによると、第３作業工程を実施すると、第１止着具の頭部が間仕切りパネルに当たるため、仮止め用の止着具を用いて支柱に間仕切りパネルを止着することができる。
【００２９】
なお、第１止着具は、タッピングビスを含むビスでもよく、釘でもよい。また、第２止着具は、タッピングビスを含むビスでもよく、釘でもよく、ステープルでもよい。
【００３０】
また、以上説明した本発明に係る間仕切り及びその施工方法において、支柱に係止部又は被係止部を設けることは、支柱に直接係止部又は被係止部を設けることでもよく、あるいは、支柱にスペース部材等の取付部材が取り付けられる場合には、この取付部材に係止部又は被係止部を設けることにより、取付部材を介して支柱に間接的に係止部又は被係止部を設けることでもよい。
【００３１】
さらに、本発明に係る間仕切り及びその施工方法は、任意の箇所に支柱を立設するものに適用することができ、支柱の立設箇所は、例えば、床と天井の間でもよく、床と下り壁の間でもよく、腰壁と天井の間でもよく、腰壁と下り壁の間でもよい。
【発明の効果】
【００３２】
本発明によると、間仕切りの施工作業を容易に行え、作業効率を向上させることができるという効果を得られる。
【図面の簡単な説明】
【００３３】
【図１】図１は、本発明の一実施形態に係る間仕切りを示す正面図である。
【図２】図２は、支柱に間仕切りパネルが止着される前の状態を示す図１と同様の図であって、支柱が立設されている状態を示す図である。
【図３】図３は、床に固定された下枠部材に支柱の下端部を支持させるためのアジャストユニットを示す斜視図である。
【図４】図４は、図３のアジャストユニットに支柱の下端部を支持させる作業を示す斜視図である。
【図５】図５は、図４の作業の後に、床に固定された下枠部材にカバー部材を被せる作業を行うことを示す斜視図である。
【図６】図６は、支柱にビスの軸部の先端側をねじ込み、このビスにより、支柱に係止部としての突起を設けたときを示す斜視図である。
【図７】図７は、間仕切りパネルの表面部材を示す斜視図である。
【図８】図８は、支柱に間仕切りパネルを仮止めするために、図６のビスの軸部を、間仕切りパネルの表面部材に被係止部として設けた窪み部に挿入する作業を示す斜視図である。
【図９】図９は、支柱に間仕切りパネルを仮止めした後の状態を示す間仕切りの平断面図である。
【図１０】図１０は、支柱の両側に配置された２枚の間仕切りパネルの間に目地部材を圧入配設したときを示す間仕切りの平断面図である。
【発明を実施するための形態】
【００３４】
以下に本発明を実施するための形態を図面に基づいて説明する。図１には、本発明の一実施形態に係る間仕切り１の正面図が示されており、この間仕切り１は、学校の内部を教室と廊下に仕切るために、床２と天井３の間に設置されている。床２と天井３には、下枠部材４と上枠部材５とが取り付けられ、これらの下枠部材４及び上枠部材５の長さ方向である左右方向に複数の間仕切りパネル１０が並設され、間仕切りパネル１０同士の間には、目地部材１１が配設されている。
【００３５】
なお、図１の実施形態で示されている間仕切り１は、床面近傍から天井面近傍まで達する上下寸法の大きい間仕切りパネル１０が用いられたものとなっているが、間仕切りは、全高のうちの一部に、例えば、引き違い式の障子や採光用の窓、引戸等が設けられ、他の部分が、間仕切りパネル１０よりも上下寸法が小さい間仕切りパネルによって塞がれるようになっているものでもよく、また、複数の間仕切りパネルが上下に配設され、これらの間仕切りパネルにより全高が塞がれるようになっているものでもよい。
【００３６】
図２には、図１の間仕切りパネル１０が配設される前の状態が示されている。下枠部材４は、上側に開口したチャンネル材（図３〜図５を参照）で形成されており、上枠部材５は、下側に開口したチャンネル材で形成されており、下枠部材４は床２にビス６により固定され、上枠部材５は天井３にビス７により固定されている。また、図１で示した目地部材１１が配設されるそれぞれの箇所には、支柱１２が立設されている。
【００３７】
図３には、下枠部材４における支柱１２が立設される箇所に、支柱１２の下部を支持し、かつ支柱１２の高さ位置を調整可能とするために配設されているアジャストユニット１３が示されている。このアジャストユニット１３は、基礎部材１４と、この基礎部材１４の上に載せられた土台部材１５とを含んで構成されており、基礎部材１４は、下枠部材４の内部に上から挿入されて、この下枠部材４に溶接等で結合された一対の脚部１４Ａ，１４Ｂと、間仕切り１の厚さ方向に離間しているこれらの脚部１４Ａ，１４Ｂの上端間を連結している連結部１４Ｃとからなる板金の折り曲げ品であり、土台部材１５は、基礎部材１４の連結部１４Ｃの上に載せられた連結部１５Ａと、この連結部１５Ａにおける間仕切り１の厚さ方向の両端部から立ち上がっている２個の立上り部１５Ｂ，１５Ｃとからなる板金の折り曲げ品である。
【００３８】
基礎部材１４の連結部１４Ｃと土台部材１５の連結部１５Ａには、支柱１２の高さ位置調整部材となっているビス１６の軸部１６Ａが上から挿入された孔１４Ｄ，１５Ｄが形成され、連結部１４Ｃの下面には、孔１４Ｄから突出した軸部１６Ａが螺入されるナット１７が溶接等で取り付けられている。このため、皿ビスであるビス１６の頭部１６Ｂをドライバ等の工具で回転操作すると、ビス１６が上下に移動して頭部１６Ｂの高さ位置が変化する。
【００３９】
図４には、アジャストユニット１３で下部が支持される支柱１２の下部構造が示されている。支柱１２は、ウエブ部１２Ａで連結された２個のフランジ部１２Ｂ，１２Ｃを間仕切り１の厚さ方向に離間対面させて配置されているリップ部付きチャンネル材で形成されており、この支柱１２の下部には、一部を残す切除加工により、間仕切り１の厚さ方向に間隔をあけて互いに対面する２個の延出部１２Ｄ，１２Ｅが、２個のフランジ部１２Ｂ，１２Ｃからそのまま下向きに延出形成されており、これらの延出部１２Ｄ，１２Ｅの基端部において、板状のベース部材１８が支柱１２に溶接等で水平又は略水平に固定されている。このベース部材１８には、支柱１２のフランジ部１２Ｂ，１２Ｃや延出部１２Ｄ，１２Ｅとの間で隙間Ｓ１，Ｓ２を形成するための凹部１８Ａ，１８Ｂが形成されている。
【００４０】
支柱１２の下部をアジャストユニット１３で支持させるためには、このようなベース部材１８が下部に取り付けられている支柱１２を下方へ降ろし、この降ろし作業を行うときに、隙間Ｓ１，Ｓ２に土台部材１５の立上り部１５Ｂ、１５Ｃを下から挿入し、これにより、図５に示されているように、ビス１６の頭部１６Ｂにベース部材１８の下面が当たるまで支柱１２を降ろす。
【００４１】
なお、図２に示されているように、支柱１２の上部には、この支柱１２の内部に下部が挿入されたブラケット部材２０が配置されており、止めねじ１９で支柱１２に下部が結合可能となっているこのブラケット部材２０の上部は、下側に開口したチャンネル材で形成されている上枠部材５の内部に挿入され、ブラケット部材２０の上部は、上枠部材５にビス等で結合されている。
【００４２】
前述したようにビス１６の頭部１６Ｂにベース部材１８の下面が当たるまで支柱１２を降ろすときには、止めねじ１９を緩めておき、ビス１６の頭部１６Ｂにベース部材１８が当たった後に、ベース部材１８に形成されている図５の孔１８Ｃにドライバ等の工具の先端部を挿入し、この工具でビス１６の頭部１６Ｂを回転操作することによりビス１６を上下に移動させ、これにより、支柱１２の高さ位置を調整する。次いで、図２の止めねじ１９の締め付け作業を行い、これにより、支柱１２の上部をブラケット部材２０に連結する。
【００４３】
なお、工具でビス１６の頭部１６Ｂを回転操作して支柱１２の高さ位置を調整する際には、前述した隙間Ｓ１，Ｓ２に下から挿入されている土台部材１５の立上り部１５Ｂ、１５Ｃが、支柱１２が上下に移動するときのガイド部となるため、図５に示されているように、下枠部材４の外面に沿って下向きに延びている支柱１２の延出部１２Ｄ，１２Ｅによるガイド作用と併せ、支柱１２の上下の移動を円滑に行わせることができ、また、この支柱１２の下部が鉛直軸を中心に回転することを防止できる。
【００４４】
以上の作業により、支柱１２の下部が、支柱１２の高さ位置を調整するために下枠部材４に配設されているアジャストユニット１３で支持されて、この支柱１２は、下枠部材４と上枠部材５との間に立設されることになり、この立設作業は、図２に示されているように、下枠部材４及び上枠部材５の長さ方向に間隔をあけて複数本が配置されるそれぞれの支柱１２について行われる。
【００４５】
このようにそれぞれの支柱１２を立設した後に、支柱１２が配置されている箇所を除く下枠部材４の上面に図５で示すカバー部材２１を被せるための作業を行う。このカバー部材２１は、開口側が下向きになったコ字状又は略コ字状の縦断面形状を有する部材であり、カバー部材２１の長さ方向の端部に形成された長孔２１Ａと、ベース部材１８に形成された孔１８Ｄとに挿入されるビス２２により、下枠部材４の上面に被せられたカバー部材２１は、ベース部材１８を介して支柱１２に連結される。
【００４６】
図６には、支柱１２に、図１で示した間仕切りパネル１０を支柱１２に仮止めするための係止部となる突起２５を設けた状態が示されている。この突起２５は、軸部３０Ａと、この軸部３０Ａの後端に設けられた頭部３０Ｂとからなるビス３０である。支柱１２の全長のうち、支柱１２に間仕切りパネル１０を仮止めするための箇所には、タッピングビスであるビス３０の軸部３０Ａの先端側を螺入させるための下孔２６が予め形成されており、この下孔２６に軸部３０Ａの先端側が螺入されているため、軸部３０Ａの残りの部分が支柱１２から突出しており、この残り部分が、間仕切りパネル１０を支柱１２に仮止めするために用いられる突起２５となっている。
【００４７】
図９及び図１０に示されているように、間仕切りパネル１０は、間仕切り１の厚さ方向における支柱１２の両側（下枠部材４及び上枠部材５の長さ方向と直交する水平方向における支柱１２の両側）に配設されるため、図６に示されているように、ビス３０による突起２５は、支柱１２のうち、間仕切り１の厚さ方向に互いに対面している２個のフランジ部１２Ｂ，１２Ｃに設けられる。また、図６に示されているように、これらのフランジ部１２Ｂ，１２Ｃには、突起２５から上下方向に所定間隔をあけて下孔２７が設けられており、フランジ部１２Ｂ，１２Ｃに上下方向に所定間隔で複数設けられているこれらの下孔２７は、図８に示されているように、間仕切りパネル１０を支柱１２に止着するための止着具であって、タッピングビスとなっているビス２８を螺入するための孔である。
【００４８】
図７には、間仕切りパネル１０を構成する構成部材となっている表面部材３１が示されている。図７にはこの表面部材３１だけが示されているが、図９及び図１０に示されているように、間仕切りパネル１０は、表面部材３１に芯部材３２を接着等で固定したものであり、この芯部材３２は、例えば、石膏ボードである。図７から分かるように、表面部材３１は、折り曲げ加工と打ち抜き加工が行われた金属板製であり、表面部材３１の本体部３１Ａは、表面部材３１の大部分の面積を占めており、この本体部３１Ａの裏面に、間仕切りパネル１０の厚さ方向の寸法を有する図９及び図１０の芯部材３２が固定されている。
【００４９】
図７に示されているように、本体部３１Ａの上下左右の四周辺部には、間仕切り１の厚さ方向に折り曲げられ、間仕切りパネル１０の厚さを形成している折り曲げ部３１Ｂ，３１Ｃ，３１Ｄ，３１Ｅが設けられ、上辺部の折り曲げ部３１Ｂの端部と下辺部の折り曲げ部３１Ｃの端部には、表面部材３１に強度を付与するための補強部３１Ｆ、３１Ｇが、間仕切りパネル１０の内側への折り曲げにより設けられている。また、表面部材３１の幅方向の両端部である左右両辺部の折り曲げ部３１Ｄ，３１Ｅの端部には、左フランジ部３１Ｈと右フランジ部３１Ｉが、間仕切りパネル１０の外側への折り曲げにより設けられている。
【００５０】
このため、これらの左フランジ部３１Ｈと右フランジ部３１Ｉは、左辺部の折り曲げ部３１Ｄと右辺部の折り曲げ部３１Ｅにより、本体部３１Ａから間仕切りパネル１０の厚さ方向の段差をもって芯部材３２とは反対側へ延出したものとなっており、左フランジ部３１Ｈと右フランジ部３１Ｉは、本体部３１Ａと平行又は略平行になっている。
【００５１】
これらの左フランジ部３１Ｈと右フランジ部３１Ｉには、支柱１２に間仕切りパネル１０を仮止めするための被係止部となっている窪み部３５が形成されており、この窪み部３５の下側は、窪み部３５の左右寸法、すなわち、窪み部３５の幅寸法よりも幅寸法が大きい開口部３６となっており、窪み部３５と開口部３６は連通しているため、窪み部３５は開口側が下向きとなって、左フランジ部３１Ｈと右フランジ部３１Ｉに設けられている。これらの窪み部３５と開口部３６は、表面部材３１の材料である金属板に打ち抜き加工を行うことにより、容易に表面部材３１に形成することができる。
【００５２】
なお、図７で示されている開口部３６の大きさは、左フランジ部３１Ｈと右フランジ部３１Ｉの左右寸法と同じ大きさとなっているため、左フランジ部３１Ｈにおける開口部３６の左端部は開口し、右フランジ部３１Ｉにおける開口部３６の右端部は開口しているが、これらの開口部３６の大きさは、図６で示したビス３０の頭部３０Ｂの大きさよりも大きければよく、言い換えると、この頭部３０Ｂを通過させることができる大きさがあればよく、このため、開口部３６を、窪み部３５の下側に、この窪み部３５と連通させて形成した大孔としてもよい。
【００５３】
また、図７に示されているように、左フランジ部３１Ｈと右フランジ部３１Ｉには、下孔３７も設けられており、窪み部３５から上下方向に所定間隔離れていて、左フランジ部３１Ｈと右フランジ部３１Ｉに上下方向に所定間隔で複数設けられているこれらの下孔３７は、図８で示したビス２８を挿通するための孔である。
【００５４】
なお、支柱１２に間仕切りパネル１０を仮止めできるようにするために、間仕切りパネル１０における支柱１２側の端部に被係止部として形成されている窪み部３５の幅寸法は、支柱１２に係止部として設けられているビス３０の軸部３０Ａの直径寸法と同じ又はこの直径寸法よりも大きく、かつビス３０の頭部３０Ｂの直径寸法よりも小さくなっている。
【００５５】
次に、支柱１２に間仕切りパネル１０を止着することにより、図１の間仕切り１を形成する作業について説明する。
【００５６】
この作業は、支柱１２に間仕切りパネル１０を仮止めすることから始まり、この仮止めは、図８から分かるように、支柱１２の左右両側に配置される２枚の間仕切りパネル１０を順番に持ち上げて支柱１２側へ移動させ、これにより、これらの間仕切りパネル１０の左フランジ部３１Ｈと右フランジ部３１Ｉのうち、例えば、左側の間仕切りパネル１０の右フランジ部３１Ｉに形成されている開口部３６の内部に、支柱１２に軸部３０Ａの先端側を侵入していて、この軸部３０Ａの残りの部分が支柱１２から突出しているビス３０の頭部３０Ｂを通過させ、この後に、左側の間仕切りパネル１０を下げることにより、軸部３０Ａの上記残りの部分を、左側の間仕切りパネル１０の右フランジ部３１Ｉに開口側が下向きとなって形成されている窪み部３５に挿入する。次いで、支柱１２の左右両側に配置される２枚の間仕切りパネル１０の左フランジ部３１Ｈと右フランジ部３１Ｉのうち、右側の間仕切りパネル１０の左フランジ部３１Ｈに形成されている開口部３６の内部に、ビス３０の頭部３０Ｂを通過させ、この後に、右側の間仕切りパネル１０を下げることにより、ビス３０の軸部３０Ａの上記残りの部分を、右側の間仕切りパネル１０の左フランジ部３１Ｈに開口側が下向きとなって形成されている窪み部３５に挿入する。
【００５７】
これにより、図９に示されているように、左側の間仕切りパネル１０の右フランジ部３１Ｉと右側の間仕切りパネル１０の左フランジ部３１Ｈとが間仕切りパネル１０の厚さ方向に重なりながら、支柱１２に係止部として、すなわち、前述した突起２５として支柱１２に設けられているビス３０の軸部３０Ａの上記残りの部分に、これらの左右２枚の間仕切りパネル１０に被係止部として形成されている窪み部３５が係止されることになり、このため、支柱１２の両側に配置される２枚の間仕切りパネル１０が支柱１２に仮止めされることになる。
【００５８】
また、以上と同様の作業を行うことにより、左側の間仕切りパネル１０の左フランジ部３１Ｈと右側の間仕切りパネル１０の右フランジ部３１Ｉも、支柱１２の左右両側に立設されている支柱１２に仮止めされ、それぞれの間仕切りパネル１０は、間仕切りパネル１０の幅方向の両側に立設されている支柱１２に仮止めされる。
【００５９】
この後に、図８で示したビス２８を、間仕切りパネル１０の厚さ方向に互いに重なっている左側の間仕切りパネル１０の右フランジ部３１Ｉの孔３７と右側の間仕切りパネル１０の左フランジ部３１Ｈの孔３７とに挿入し、ビス２８を支柱１２の下孔２７にねじ込む作業を行い、このねじ込み作業を、左右２枚の間仕切りパネル１０に上下方向の所定間隔をあけて形成されている孔３７と、支柱１２に上下方向の所定間隔をあけて形成されている孔２７とに挿入されるそれぞれのビス２８について行う。
【００６０】
この作業は、ビス３０と窪み部３５とにより支柱１２に仮止めされている左右２枚の間仕切りパネル１０をビス２８で支柱１２に止着するための作業であり、この作業を行うときに、ビス３０の軸部３０Ａのうち、支柱１２に前述の係止部である突起２５となって支柱１２から突出している部分が、間仕切りパネル１０の前述の被係止部となっている窪み部３５に挿入係止しているため、それぞれの間仕切りパネル１０を支柱１２にビス２８で止着する作業者は、これらの間仕切りパネル１０を支柱１２に押し付ける作業を行うことなく、すなわち、これらの間仕切りパネル１０が支柱１２から大きく離間することをなくしながら、それぞれの間仕切りパネル１０を支柱１２にビス２８で止着する作業を行うことができる。
【００６１】
次いで、作業者は、間仕切りパネル１０を支柱１２に仮止めするために軸部３０Ａの先端側が支柱１２にねじ込まれている、言い換えると、支柱１２に結合されているビス３０をさらに支柱１２の内部に侵入させる作業を行い、これにより、ビス３０の頭部３０Ｂを、間仕切りパネル１０の厚さ方向に重なっている左側の間仕切りパネル１０の右フランジ部３１Ｉと右側の間仕切りパネル１０の左フランジ部３１Ｈとのうち、図１０に示されているように、間仕切り１の外側となっている右側の間仕切りパネル１０の左フランジ部３１Ｈに当てる。
【００６２】
これにより、支柱１２の左右両側に２枚配置されている間仕切りパネル１０は、ビス３０によっても支柱１２に止着されることになり、言い換えると、仮止めのためのビス３０は、ビス２８と同様に間仕切りパネル１０を支柱１２に止着するための止着具として利用されることになり、仮止め用のビス３０を第１止着具としたとき、第２止着具であるビス２８により支柱１２に止着される間仕切りパネル１０は、第１止着具も利用されて支柱１２に止着されることになる。
【００６３】
以上説明した作業は、下枠部材４及び上枠部材５の長さ方向に間隔をあけて並設されているそれぞれの支柱１２について行われる。また、図９及び図１０に示されているように、支柱１２に２個設けられているフランジ部１２Ｂ，１２Ｃのうち、一方に間仕切りパネル１０を止着した後に、他方に間仕切りパネル１０を止着する作業も行われる。
【００６４】
この後、図１０に示されているように、左右方向に並設されている２枚の間仕切りパネル１０のうち、一方の間仕切りパネル１０の折り曲げ部３１Ｄと他方の間仕切りパネル１０の折り曲げ部３１Ｅとの間の隙間に、言い換えると、間仕切り１の目地に目地部材１１を圧入配置する作業を行う。この目地部材１１は、本実施形態の間仕切り１の設置施工作業が終了した状態を示している図１にも示されている。
【００６５】
以上説明した本実施形態によると、間仕切りパネル１０をビス２８により支柱１２に止着する際には、間仕切りパネル１０はビス３０で仮止めされているため、間仕切りパネル１０を支柱１２にビス２８で止着する作業者は、間仕切りパネル１０を支柱１２に押し付ける作業を行うことなく、支柱１２に間仕切りパネル１０をビス２８で容易に止着することができ、この作業の効率を向上させることができる。
【００６６】
また、仮止めは、支柱１２に係止部であって突起２５として設けられているビス３０の軸部３０Ａを、間仕切りパネル１０における支柱１２側の端部に被係止部として形成されている窪み部３５に挿入することにより行われ、この窪み部３５は開口側が下向きとなって間仕切りパネル１０に形成されているため、仮止めにより、間仕切りパネル１０の重量はビス３０を介して支柱１２で支持されることになり、このため、支柱１２に間仕切りパネル１０をビス２８で止着する作業を一層容易に行える。
【００６７】
また、窪み部３５の幅寸法は、仮止め用のビス３０の軸部３０Ａの直径寸法と同じ又はこの直径寸法よりも大きく、かつビス３０の頭部３０Ｂの直径寸法よりも小さくなっているため、仮止めした後に、窪み部３５がビス３０から脱落することを防止でき、これにより、窪み部３５とビス３０により間仕切りパネル１０を支柱１２に仮止めすることを一層確実に実施できる。
【００６８】
さらに、窪み部３５の下側は、この窪み部３５と連通していて、窪み部３５の幅寸法よりも大きく、かつビス３０の頭部３０Ｂの直径寸法よりも大きい開口部３６となっているため、ビス３０の軸部３０Ａを窪み部３５に挿入する作業を、開口部３６にビス３０の頭部３０Ｂを一旦挿入した後に行うことができ、このため、軸部３０Ａを窪み部３５に挿入する作業をさらに一層容易に行える。
【００６９】
また、窪み部３５と開口部３６は、間仕切りパネル１０の表面部材３１に形成されており、この表面部材３１は金属板製であるため、窪み部３５と開口部３６を打ち抜き加工により容易に表面部材３１に形成できる。
【００７０】
さらに、本実施形態では、ビス３０の軸部３０Ａのうち、支柱１２から突出している部分は、支柱１２の左右両側に配置される２枚の間仕切りパネル１０の窪み部３５に挿入されるため、このビス３０は、これらの間仕切りパネル１０について兼用されることになり、このため、それだけ支柱１２の形状や構造の簡単化を図ることができるようになる。
【産業上の利用可能性】
【００７１】
本発明は、例えば、学校の内部に教室と廊下を設ける場合のように、建物等の構造物の内部に２つに仕切られた空間を形成するために利用することができる。
【符号の説明】
【００７２】
１  間仕切り
２  床
３  天井
４  下枠部材
５  上枠部材
１０  間仕切りパネル
１２  支柱
２５  突起
２８  第２止着具であるビス
３０  第１止着具であるビス
３０Ａ  係止部となっている軸部
３０Ｂ  頭部
３１  表面部材
３１Ａ  本体部
３１Ｈ，３１Ｉ  フランジ部
３２  芯部材
３５  被係止部となっている窪み部
３６  開口部
【図１】
2018016961.tif 000003
【図２】
2018016961.tif 000004
【図３】
2018016961.tif 000005
【図４】
2018016961.tif 000006
【図５】
2018016961.tif 000007
【図６】
2018016961.tif 000008
【図７】
2018016961.tif 000009
【図８】
2018016961.tif 000010
【図９】
2018016961.tif 000011
【図１０】
2018016961.tif 000012